【手続補正書】
【提出日】平成30年5月31日(2018.5.31)
【手続補正１】
【補正対象書類名】特許請求の範囲
【補正対象項目名】全文
【補正方法】変更
【補正の内容】
【特許請求の範囲】
【請求項１】
ワイヤレス通信におけるハイブリッド自動再送要求（ＨＡＲＱ）ベースの送信を復号するためのソフトバッファを管理する方法であって、
レガシー通信におけるＨＡＲＱベースの送信を復号するためのレガシーソフトバッファのレガシーソフトバッファサイズを決定すること、前記レガシー通信は、第１の期間の第１の送信時間間隔（ＴＴＩ）に基づくものである、と、
ウルトラローレイテンシ（ＵＬＬ）通信を受信すること、前記ＵＬＬ通信は、前記第１の期間未満である第２のＴＴＩに基づくものである、と、
前記ＵＬＬ通信におけるＨＡＲＱベースの送信を復号するためのＵＬＬソフトバッファについてのＵＬＬソフトバッファサイズを決定すること、ここにおいて、前記ＵＬＬソフトバッファサイズを決定することは、前記レガシーソフトバッファサイズの関数であり、前記関数は、前記第２のＴＴＩの第２の期間に対する前記第１の期間の比率に対応する、と、
コンポーネントキャリアのために、前記ＵＬＬソフトバッファサイズに少なくとも部分的に基づいてＵＬＬソフトバッファコンテンツを管理することと、
前記コンポーネントキャリアのために、および前記ＵＬＬソフトバッファコンテンツの管理から切り離して、前記レガシーソフトバッファサイズに基づいてレガシーソフトバッファコンテンツを管理することと
を備える、方法。
【請求項２】
前記レガシー通信におけるＨＡＲＱベースの送信を復号するための前記レガシーソフトバッファサイズは、ユーザ機器（ＵＥ）カテゴリ、ダウンリンク送信モード、ＨＡＲＱプロセスの数、キャリアアグリゲーションにおけるコンポーネントキャリアの数のうちの少なくとも１つに基づく、
請求項１に記載の方法。
【請求項３】
前記レガシー通信のための最大トランスポートブロックサイズの一部分として前記ＵＬＬソフトバッファに基づいてＨＡＲＱベースの送信を復号する際、ＵＬＬ通信のためのＵＬＬ最大トランスポートブロックサイズ、
請求項１に記載の方法。
【請求項４】
前記レガシーソフトバッファサイズの第２の関数として第２のＵＬＬ通信のＨＡＲＱベースの送信を復号するための第２のＵＬＬソフトバッファサイズを決定することをさらに備え、前記第２のＵＬＬ通信は、前記第１の期間未満である第３のＴＴＩに基づく、
請求項１に記載の方法。
【請求項５】
レガシー通信および第２のＵＬＬ通信におけるＨＡＲＱベースの送信を復号するための前記レガシーソフトバッファサイズの前記レガシーソフトバッファを使用する前記レガシー通信および前記第２のＵＬＬ通信をグループ化することをさらに備える、
請求項１に記載の方法。
【請求項６】
前記第２のＵＬＬ通信は、スロット期間の第３のＴＴＩに基づく、
請求項５に記載の方法。
【請求項７】
前記ＵＬＬ通信および第２のＵＬＬ通信におけるＨＡＲＱベースの送信を復号する際、前記ＵＬＬソフトバッファを使用する、前記第１の期間未満の第３のＴＴＩに基づいて前記第２のＵＬＬ通信と前記ＵＬＬ通信をグループ化することをさらに備える、
請求項１に記載の方法。
【請求項８】
前記第２のＴＴＩは、１つのシンボル期間であり、前記第３のＴＴＩは、２つのシンボル期間である、
請求項７に記載の方法。
【請求項９】
ＨＡＲＱプロセスの数に少なくとも部分的に基づいて前記レガシーソフトバッファまたは前記ＵＬＬソフトバッファを区分化することをさらに備える、
請求項１に記載の方法。
【請求項１０】
ワイヤレス通信におけるハイブリッド自動再送要求（ＨＡＲＱ）ベースの送信を復号するためのソフトバッファを管理する装置であって、
少なくとも１つのプロセッサと、
前記少なくとも１つのプロセッサと通信可能に結合されるメモリと
を備え、前記少なくとも１つのプロセッサは、
レガシー通信におけるＨＡＲＱベースの送信を復号するためのレガシーソフトバッファのレガシーソフトバッファサイズを決定すること、前記レガシー通信は、第１の期間の第１の送信時間間隔（ＴＴＩ）に基づくものである、と、
ウルトラローレイテンシ（ＵＬＬ）通信を受信すること、前記ＵＬＬ通信は、前記第１の期間未満である第２のＴＴＩに基づくものである、と、
前記第２のＴＴＩに少なくとも部分的に基づいて、前記ＵＬＬ通信におけるＨＡＲＱベースの送信を復号するためのＵＬＬソフトバッファのためのＵＬＬソフトバッファサイズを決定すること、ここにおいて、前記少なくとも１つのプロセッサは、前記レガシーソフトバッファサイズの関数として前記ＵＬＬソフトバッファサイズを決定することを行うように構成され、前記関数は、前記第２のＴＴＩの第２の期間に対する前記第１の期間の比率に対応する、と、
コンポーネントキャリアのために、前記ＵＬＬソフトバッファサイズに少なくとも部分的に基づいてＵＬＬソフトバッファコンテンツを管理することと、
前記コンポーネントキャリアのために、および前記ＵＬＬソフトバッファコンテンツの管理から切り離して、前記レガシーソフトバッファサイズに基づいてレガシーソフトバッファコンテンツを管理することと
を行うように構成される、装置。
【請求項１１】
前記少なくとも１つのプロセッサは、ユーザ機器（ＵＥ）カテゴリ、ダウンリンク送信モード、ＨＡＲＱプロセスの数、キャリアアグリゲーションにおけるコンポーネントキャリアの数のうちの少なくとも１つに基づいて前記レガシー通信におけるＨＡＲＱベースの送信を復号するための前記レガシーソフトバッファサイズを決定することを行うように構成される、
請求項１０に記載の装置。
【請求項１２】
前記少なくとも１つのプロセッサは、前記レガシー通信のための最大トランスポートブロックサイズの一部分として前記ＵＬＬソフトバッファに基づいてＨＡＲＱベースの送信を復号する際、ＵＬＬ通信のためのＵＬＬ最大トランスポートブロックサイズを決定することを行うように構成される、
請求項１０に記載の装置。
【請求項１３】
前記少なくとも１つのプロセッサは、前記レガシーソフトバッファサイズの第２の関数として第２のＵＬＬ通信のＨＡＲＱベースの送信を復号するための第２のＵＬＬソフトバッファサイズを決定することを行うように構成され、前記第２のＵＬＬ通信は、前記第１の期間未満である第３のＴＴＩに基づく、
請求項１０に記載の装置。
【請求項１４】
前記少なくとも１つのプロセッサは、前記レガシー通信および第２のＵＬＬ通信におけるＨＡＲＱベースの送信を復号するための前記レガシーソフトバッファサイズの前記レガシーソフトバッファを使用する前記レガシー通信および前記第２のＵＬＬ通信をグループ化することを行うように構成される、
請求項１０に記載の装置。
【請求項１５】
前記第２のＵＬＬ通信は、スロット期間の第３のＴＴＩに基づく、
請求項１４に記載の装置。
【請求項１６】
前記少なくとも１つのプロセッサは、前記ＵＬＬ通信および第２のＵＬＬ通信におけるＨＡＲＱベースの送信を復号する際、前記ＵＬＬソフトバッファを使用する、前記第１の期間未満の第３のＴＴＩに基づいて前記第２のＵＬＬ通信と前記ＵＬＬ通信をグループ化することを行うように構成される、
請求項１０に記載の装置。
【請求項１７】
前記第２のＴＴＩは、シンボル期間であり、前記第３のＴＴＩは、２つのシンボル期間である、
請求項１６に記載の装置。
【請求項１８】
前記少なくとも１つのプロセッサは、ＨＡＲＱプロセスの数に少なくとも部分的に基づいて前記レガシーソフトバッファまたは前記ＵＬＬソフトバッファを区分化することを行うように構成される、
請求項１０に記載の装置。
【請求項１９】
ワイヤレス通信におけるハイブリッド自動再送要求（ＨＡＲＱ）ベースの送信を復号するためのソフトバッファを管理する装置であって、
レガシー通信におけるＨＡＲＱベースの送信を復号するためのレガシーソフトバッファのレガシーソフトバッファサイズを決定するための手段、前記レガシー通信は、第１の期間の第１の送信時間間隔（ＴＴＩ）に基づくものである、と、
ウルトラローレイテンシ（ＵＬＬ）通信を受信するための手段、前記ＵＬＬ通信は、前記第１の期間未満である第２のＴＴＩに基づくものである、と、
前記第２のＴＴＩに少なくとも部分的に基づいて、前記ＵＬＬ通信におけるＨＡＲＱベースの送信を復号するためのＵＬＬソフトバッファについてのＵＬＬソフトバッファサイズを決定するための手段、ここにおいて、前記ＵＬＬソフトバッファサイズを前記決定するための手段は、前記レガシーソフトバッファサイズの関数として前記ＵＬＬソフトバッファサイズを決定し、前記関数は、前記第２のＴＴＩの第２の期間に対する前記第１の期間の比率に対応する、と、
コンポーネントキャリアのために、前記ＵＬＬソフトバッファサイズに少なくとも部分的に基づいてＵＬＬソフトバッファコンテンツを管理するための手段と、
前記コンポーネントキャリアのために、および前記ＵＬＬソフトバッファコンテンツの管理から切り離して、前記レガシーソフトバッファサイズに基づいてレガシーソフトバッファコンテンツを管理するための手段と
を備える、装置。
【請求項２０】
前記決定するための手段は、ユーザ機器（ＵＥ）カテゴリ、ダウンリンク送信モード、ＨＡＲＱプロセスの数、キャリアアグリゲーションにおけるコンポーネントキャリアの数のうちの少なくとも１つに基づいて前記レガシー通信におけるＨＡＲＱベースの送信を復号するための前記レガシーソフトバッファサイズを決定する、
請求項１９に記載の装置。
【請求項２１】
前記レガシー通信のための最大トランスポートブロックサイズの一部分として前記ＵＬＬソフトバッファに基づいて、ＨＡＲＱベースの送信を復号する際、ＵＬＬ通信のためのＵＬＬ最大トランスポートブロックサイズを決定するための手段をさらに備える、
請求項１９に記載の装置。
【請求項２２】
前記レガシーソフトバッファサイズの第２の関数として第２のＵＬＬ通信のＨＡＲＱベースの送信を復号するための第２のＵＬＬソフトバッファサイズを決定するための手段をさらに備え、前記第２のＵＬＬ通信は、前記第１の期間未満である第３のＴＴＩに基づく、
請求項１９に記載の装置。
【請求項２３】
ワイヤレス通信におけるハイブリッド自動再送要求（ＨＡＲＱ）ベースの送信を復号するためのソフトバッファを管理するコンピュータ実行可能コードを備える非一時的コンピュータ可読記憶媒体であって、前記コンピュータ実行可能コードは、
レガシー通信におけるＨＡＲＱベースの送信を復号するためのレガシーソフトバッファのレガシーソフトバッファサイズを決定すること、前記レガシー通信は、第１の期間の第１の送信時間間隔（ＴＴＩ）に基づくものである、と、
ウルトラローレイテンシ（ＵＬＬ）通信を受信すること、前記ＵＬＬ通信は、前記第１の期間未満である第２のＴＴＩに基づくものである、と、
前記第２のＴＴＩに少なくとも部分的に基づいて、前記ＵＬＬ通信におけるＨＡＲＱベースの送信を復号するためのＵＬＬソフトバッファについてのＵＬＬソフトバッファサイズを決定すること、ここにおいて、前記ＵＬＬソフトバッファサイズを前記決定するコードは、前記レガシーソフトバッファサイズの関数として前記ＵＬＬソフトバッファサイズを決定し、前記関数は、前記第２のＴＴＩの第２の期間に対する前記第１の期間の比率に対応する、と、
コンポーネントキャリアのために、前記ＵＬＬソフトバッファサイズに少なくとも部分的に基づいてＵＬＬソフトバッファコンテンツを管理することと、
前記コンポーネントキャリアのために、および前記ＵＬＬソフトバッファコンテンツの管理から切り離して、前記レガシーソフトバッファサイズに基づいてレガシーソフトバッファコンテンツを管理することと
を行うコードを備える、非一時的コンピュータ可読記憶媒体。
【請求項２４】
前記レガシー通信におけるＨＡＲＱベースの送信を復号するための前記レガシーソフトバッファサイズを前記決定することを行うコードは、ユーザ機器（ＵＥ）カテゴリ、ダウンリンク送信モード、ＨＡＲＱプロセスの数、キャリアアグリゲーションにおけるコンポーネントキャリアの数のうちの少なくとも１つに基づく、
請求項２３に記載の非一時的コンピュータ可読記憶媒体。
【請求項２５】
前記レガシー通信のための最大トランスポートブロックサイズの一部分として、前記ＵＬＬソフトバッファに基づくＨＡＲＱベースの送信を復号する際、ＵＬＬ通信のためのＵＬＬ最大トランスポートブロックサイズを決定することを行うためのコードをさらに備える、
請求項２４に記載の非一時的コンピュータ可読記憶媒体。
【請求項２６】
前記レガシーソフトバッファサイズの第２の関数として第２のＵＬＬ通信のＨＡＲＱベースの送信を復号するための第２のＵＬＬソフトバッファサイズを決定することを行うためのコードをさらに備え、前記第２のＵＬＬ通信は、前記第１の期間未満である第３のＴＴＩに基づく、
請求項２３に記載の装置。